(57)【特許請求の範囲】
【請求項１】
躯体間隙を被覆するカバー材と、一方の躯体の上面を凹設し、カバー材の収納部側端部を載置する収納部と、カバー材を他方の躯体に少なくとも躯体間隙奥行き方向に可動可能に連結する連結部材と、カバー材の裏面に設けられ、前記収納部に対向する側に傾斜面部を有する支持部材とを備えたエキスパンションジョイントであって、
支持部材を、カバー材の重心位置或いはそれより連結部材側位置におけるカバー材の裏面に設けてなるエキスパンションジョイント。
【請求項２】
躯体間隙を被覆するカバー材と、一方の躯体の上面を凹設し、カバー材の収納部側端部を載置する収納部と、カバー材を他方の躯体に少なくとも躯体間隙奥行き方向に可動可能に連結する連結部材と、カバー材の裏面に設けられ、前記収納部に対向する側に傾斜面部を有する支持部材とを備えたエキスパンションジョイントであって、
カバー材の裏面の収納部側端部から収納部の奥端天端部までの躯体間隙幅方向における距離を、収納部の躯体間隙側端部から支持部材の傾斜面部始点までの躯体間隙幅方向における距離よりも長く設定することを特徴とするエキスパンションジョイント。
【請求項３】
収納部の奥端面を傾斜面とする一方、支持部材の傾斜面部のカバー材上面に対する角度を、前記収納部奥端面のカバー材上面に対する傾斜角度よりも大きくなるように設定することを特徴とする請求項２に記載のエキスパンションジョイント。
【請求項４】
支持部材の傾斜面部のカバー材上面に対する角度を４５°以下とすることを特徴とする請求項１〜３のいずれかに記載のエキスパンションジョイント。
【請求項５】
収納部の奥端面とカバー材の収納部側端部との間に空隙を設ける一方、カバー材の上面の収納部側端部から躯体間隙幅方向に被覆面部を突設し、当該被覆面部で前記空隙を覆うことを特徴とする請求項１〜４のいずれかに記載のエキスパンションジョイント。
【請求項６】
支持部材は、傾斜面部の終点部を支点とする断面略三角形状を呈するものである請求項１〜５のいずれかに記載のエキスパンションジョイント。
【請求項７】
支持部材は、傾斜面部の終点部に連ねて平らな摺動底面を形成してなる構成を備えたものである請求項１〜５のいずれかに記載のエキスパンションジョイント。
【請求項８】
支持部材は、傾斜面部の始点部に連ねて載置片を形成し、当該載置片を収納部の躯体間隙側端縁部上に載置することを特徴とする請求項１〜７のいずれかに記載のエキスパンションジョイント。
【発明の詳細な説明】
【０００１】
【発明の属する技術分野】
本発明は、躯体間隙を被覆するエキスパンションジョイントに関する。
【０００２】
【従来の技術】
躯体間隙を被覆するエキスパンションジョイントとして、特開２０００−３２８６７４号に開示されているものが知られている。この公報に開示されているエキスパンションジョイント５０は、図９（ａ）、（ｂ）に示すように、目地部５１を介して建てられた左右の建物５２Ａ、５２Ｂの一方の建物５２Ａの目地部５１側の床面に形成された支持凹部５３に取り付けられた目地プレート支持金具５４と、他方の建物５２Ｂの目地部５１側の床面に形成された凹部５５と、この凹部５５に固定され、反目地部側が傾斜のガイド面５６となった固定金具５７と、一端が前記目地プレート支持金具５４に回動可能に取り付けられ、他端が前記固定金具５７のガイド面５６を除く部位を覆うように取り付けられた目地プレート５８と、この目地プレート５８の他端部に固定的あるいは下部側部位で回動可能に取り付けられ、前記固定金具５７のガイド面５６を覆うゴム等の弾性材で形成された保護体５９とからなるものであり、このエキスパンションジョイント５０は、地震等により左右の建物５２Ａ、５２Ｂの目地部５１が狭くなると、図１０に示すとおり、目地プレート５８が上方に押し上げられ、その揺れを吸収することができるものであった。
【０００３】
【発明が解決しようとする課題】
しかしながら、上記のエキスパンションジョイント５０は、固定金具５７のガイド面５６と目地プレート５８の先端にある保護体５９とが近接しているため、少しでも目地部５１が狭くなると、保護体５９がガイド面５６に沿ってすべり上がり、目地プレート５８は床面上に押し上がることとなる。したがって、小さな揺れでも目地プレート５８が上下に大きく動作するため、目地プレート５８が破損したり、周囲の人に危険があるなどの問題があった。
【０００４】
また、最近の建物の高層化・免震化の影響で建物の動きを吸収するために設ける躯体間隙は広がる傾向にある。このため、エキスパンションジョイントとしては大きな可動量が要求され、目地プレート自体を更に大型化する必要が生じてきている。その一方、外観を美しく保つために目地プレートの表面に石材、タイル等の仕上げ材が付設されるようになり、この点からもエキスパンションジョイントの重量は益々大きくなる傾向にある。
ところが、上記のエキスパンションジョイント５０を見ると、ローラー６０で目地プレート５８全体を支持する構成であるため、エキスパンションジョイントの重量が大きくなるとローラー６０に過度の荷重がかかり、耐えられない恐れがある。
【０００５】
そこで本発明は、上記の課題に鑑み、目地プレート全体の重量が大きくなっても充分耐えることができ、更には、小さな揺れではカバー材（目地プレート）が大きく動作しないようにしたエキスパンションジョイントを提供せんととするものである。
【０００６】
【課題を解決するための手段】
本発明の第一の構成は、躯体間隙を被覆するカバー材と、一方の躯体の上面を凹設し、カバー材の収納部側端部を載置する収納部と、カバー材を他方の躯体に少なくとも躯体間隙奥行き方向に可動可能に連結する連結部材と、カバー材の裏面に設けられ、前記収納部に対向する側に傾斜面部を有する支持部材とを備えたエキスパンションジョイントであって、支持部材を、カバー材の重心位置或いはそれより連結部材側位置におけるカバー材の裏面に設けてなるエキスパンションジョイントとした。
【０００７】
上記構成を備えたエキスパンションジョイントは、通常時は収納部にカバー材の収納部側端部が載置し、支持部材が躯体間隙内に位置し、躯体の上面とカバー材の上面とが略面一になるように設置することができ、この場合、躯体間隙が狭くなると、支持部材の傾斜面部と収納部の躯体間隙側縁部とが当接し、当該傾斜面部に沿って支持部材が収納部上に載り上がり、同時にカバー材も躯体の上面上に載り上がって躯体の変動を吸収する。
【０００８】
また、支持部材が収納部上面に載り上がった際、カバー材の重心が収納部側端部側に位置することになるから、収納部側端部側がせり上がることなくカバー材が躯体の上面上に載り上がることを確保することができ、エキスパンションジョイント付近の安全性をより一層確実なものとすることができる。
【０００９】
本発明の第二の構成は、躯体間隙を被覆するカバー材と、一方の躯体の上面を凹設し、カバー材の収納部側端部を載置する収納部と、カバー材を他方の躯体に少なくとも躯体間隙奥行き方向に可動可能に連結する連結部材と、カバー材の裏面に設けられ、前記収納部に対向する側に傾斜面部を有する支持部材とを備えたエキスパンションジョイントであって、カバー材の裏面の収納部側端部から収納部の奥端天端部までの躯体間隙幅方向における距離を、収納部の躯体間隙側端部から支持部材の傾斜面部始点までの躯体間隙幅方向における距離よりも長く設定したエキスパンションジョイントとした。
このように設定すれば、躯体間隙が狭くなった場合、カバー材の収納部側端部が収納部の奥端部に当接する前に支持部材の傾斜面部が収納部の躯体間隙側端縁部に当接するため、カバー材が躯体上面上に載り上がるきっかけを全て支持部材が作ることができ、カバー材の収納部側端部側がせり上がるのをより一層確実になくすことができる。
なお、本発明において「収納部の奥端部」とは、躯体間隙から見た奥端部すなわち躯体間隙反対端部のことである。
【００１０】
また、上記第二の構成において、さらに収納部の奥端面を傾斜面とする一方、支持部材の傾斜面部のカバー材上面に対する角度を、前記収納部奥端面のカバー材上面に対する傾斜角度よりも大きくなるように設定した構成とするのが好ましい。
このように支持部材の傾斜面部の角度を設定すれば、支持部材の傾斜面部に沿ってカバー材全体が持ち上がる際、カバー材の収納部側端部が収納部奥端面に当接するのをより一層確実に防ぐことができ、カバー材の収納部側端部側がせり上がるのをより一層確実になくすことができる。
【００１１】
また、支持部材の傾斜面部のカバー材上面に対する角度は、４５°以下、中でも特に３０°〜４５°に設定するのが好ましい。このように形成すれば、カバー材全体を徐々に押し上げることができ、より一層滑らかに可動させることができるから、損傷を軽減できることは勿論、カバー材が持ち上がる際の傾きをより一層確実に無くすことができる。
【００１２】
上記構成を備えたエキスパンションジョイントにおいて、収納部の奥端面とカバー材の収納部側端部との間には空隙を設け、その一方、カバー材の上面の収納部側端部から躯体間隙幅方向に被覆面部を突設し、当該被覆面部で前記空隙を覆うようにするのが好ましい。
このように空隙を設けることにより、小さな揺れであればカバー材が収納部底面上を躯体間隙幅方向に摺動（スライド）するだけで躯体変動を吸収することができるから、カバー材が躯体間隙奥行き方向に大きく可動することがなく、カバー材の損傷を少なくすることができると同時に安全性も向上させることができる。また、被覆面部にて前記空隙を覆うことによって安全に歩行することもできる。
【００１３】
上記構成を備えたエキスパンションジョイントにおいて、支持部材は、傾斜面部の終点部を支点とする断面略三角形状を呈するように形成することも、また、傾斜面部の終点部に連ねて平らな摺動底面を形成してなる構成を備えるように形成することもできる。
傾斜面部の終点部に連ねて平らな摺動底面を形成してなる支持部材であれば、当該摺動底面全体でエキスパンションジョイントの全重量を受けることができるからエキスパンションジョイントの重量化に対応することができる。そればかりか、摺動底面の面積を広くすることによってカバー材の傾きをより一層確実に防ぐこともできる。
【００１４】
さらに支持部材は、傾斜面部の始点部に連ねて載置片を形成し、当該載置片を収納部の躯体間隙側端縁部上に載置するように設置するのが好ましい。このように設置すれば、支持部材の傾斜面部と収納部の躯体間隙側縁部との接触をよりスムースにすることができる。このことは、エキスパンションジョイント全体の動作をよりスムースにすることを意味し、エキスパンションジョイントの損傷を少なくすると同時に安全性も向上させることができる。
【００１５】
なお、本発明において「躯体間隙幅方向」とは、隣接する躯体が互いに接近及び離反する方向の意であり、「躯体間隙奥行き方向」とは、エキスパンションジョイントの外側から躯体間隙を見た場合の躯体間隙奥行き及び手前となる方向の意であり、「躯体間隙長手方向」とは、前記躯体間隙幅方向及び躯体間隙奥行き方向のいずれにも直交する方向の意であり、躯体間隙の長さ方向に一致する方向の意である。
【００１６】
【発明の実施の形態】
以下、図面に基づいて、本発明に係るエキスパンションジョイントの好適な実施の形態について説明する。
【００１７】
まず、本発明のエキスパンションジョイントの第一実施例について説明する。
図１は、本発明の第一実施例に係るエキスパンションジョイントの一例を示した躯体間隙幅方向の断面図、図２は、そのエキスパンションジョイントを構成するカバー材本体の構成を示した斜視図、図３（ａ）は、その高さ調整ボルト付近の拡大断面図、図３（ｂ）は、そのストッパー付近の拡大断面図、図４は、その支持部材の一例の概略斜視図、図５（ａ）〜（ｃ）は、間隙が狭くなった場合又は広くなった場合のエキスパンションジョイントの動作状態の一例を示した概略断面図である。
【００１８】
エキスパンションジョイント１は、躯体２Ａ、２Ｂの上面（床面）２Ａａ、２Ｂａ間を連結し、躯体２Ａ、２Ｂ間の間隙３を被覆するエキスパンションジョイントであって、図１に示すように、両躯体２Ａ、２Ｂの間隙３を被覆するカバー材４と、躯体２Ａの上面２Ａａの間隙３側を凹設し、カバー材４の躯体２Ａ側の収納部側端部（以下、「先端部」という。）を載置する収納部５と、カバー材４の躯体２Ｂ側の側端部（以下、「基端部」という。）をカバー材４の動きとともに躯体間隙奥行き方向（図１では上下方向）に可動可能に躯体２Ｂに連結する連結部材６と、カバー材４の裏面に設けた支持部材７とを主な構成として備えている。
【００１９】
収納部５は、躯体２Ａの上面２Ａａの間隙３側の縁に沿って凹設し、その凹底面５ａに板材５ｂを敷設してあり、カバー材４の先端部を凹底面５ａ上に載せて摺動可能に収納することができる。収納部５の深さは、カバー材４の厚さと同等の深さとし、カバー材４の上面４ａが躯体２Ａの上面２Ａａ及び躯体２Ｂの上面２Ｂａと略面一となるようにしてある。また、収納部５の奥端面５ｃ（収納部５内において間隙３とは反対側端部において起立する面）は、凹底面５ａから躯体２Ａの上面２Ａａに連なる上り斜面（奥端面５ｃ）として形成してある。
なお、収納部５の躯体間隙長手方向（図１では紙面表裏方向）の長さは、カバー材４の躯体間隙長手方向の長さに合わせるか、或は、躯体間隙長手方向にカバー材４がスライド可能となるように、当該カバー材４の長さよりも長く形成し、収納部５の躯体間隙幅方向（図１では左右方向）の長さは、カバー材４の１／３〜２／３とするのが好ましい。
【００２０】
カバー材４は、図１及び図２に示すように、内部を凹状に形成した略長方形箱型のカバー材本体８の内部にコンクリートやモルタル等の充填材９を注入し、表面はタイル、石材等の表面材１０を貼り付けて上面４ａとし、カバー材本体８の先端部を収納部５の奥端面５ｃに沿った傾斜面４ｂとするとともに、当該傾斜面４ｂの上端部から躯体間隙幅方向に突出するように上面４ａを延出させて被覆面部１１を形成してある。
【００２１】
カバー材４は、その基端部を連結部材６を介して躯体間隙奥行き方向に可動可能に躯体２Ｂに連結し、その先端部を収納部５の凹底面５ａ上に摺動可能に載置すると共に、収納部５の奥端面５ｃとカバー材４の傾斜面４ｂとの間に空隙１２を設け、被覆面部１１の先端部を躯体２Ａの上面２Ａａに載せて当該空隙１２を被覆するように取り付けてある。
【００２２】
連結部材６は、図３（ａ）、（ｂ）に示すように、ブラケット１３、フレーム材１４及びストッパー１５からなっている。
【００２３】
ブラケット１３は、設置面１３ａと連結面１３ｂとからなる断面略Ｌ字形を呈し、連結面１３ｂには、棒状のストッパー１５が通る穴１３ｃを設けてある。
このブラケット１３は、設置面１３ａを躯体２Ｂの間隙側面２Ｂｂに固着し、間隙３内に連結面１３ｂを突出させてある。
【００２４】
フレーム材１４は、図３（ａ）に示すように、カバー材本体８の基端側縁部に沿って長尺な溝部１４ａと、当該溝部１４ａの底面１４ｂをカバー材本体８側に延設してなる支持面１４ｃとを備えている。
このフレーム材１４は、支持面１４ｃをカバー材本体８の基端側端部底面に当接しネジ着によってカバー材本体８に固定する一方、溝部１４ａの底面１４ｂに長さ方向に適宜間隔をおいて断面略Ｌ字形の補強板１６を固着し、該補強板１６の略中央に底面１４ｂ及び補強板１６を貫くネジ穴１６ａを穿孔し、当該ネジ穴１６ａに高さ調整ボルト１７を螺入させ、当該高さ調整ボルト１７の先端をブラケット１３の連結面１３ｂに当接させ、高さ調整ボルト１７を締める方向に廻すとカバー材４の基端部が持ち上がり、逆に、高さ調整ボルト１７を緩める方向に廻すとカバー材４の基端部が下がり、カバー材４の水平を調整することができるようにしてある。
【００２５】
ストッパー１５は、図３（ｂ）に示すように、径大の頭部１５ａを備えた長軸ボルト状を呈し、その軸部をブラケット１３の連結面１３ｂに設けた穴１３ｃに挿通し、ナット１８ａを締結してある。このときカバー材４の躯体間隙奥行き方向のストローク量を考慮してナット１８ａの固定位置を決定するのが好ましい。ストッパー１５の軸部は、さらにフレーム材１４の底面１４ｂに設けた穴１４ｄに挿通してあり、当該軸部におけるフレーム材１４の底面１４ｂ上にナット１８ｂを締結しカバー材４と躯体２Ｂとを躯体間隙奥行き方向（図の上下方向）に可動可能に連結してある。
このようにストッパー１５を配設することにより、カバー材４が躯対間隙奥行き方向に持ち上げられても、頭部１５ａがブラケット１３の連結面１３ｂに当たるためにそれ以上持ち上がることがなく脱落しない。また、通常時は、ナット１８ａでもカバー材４の荷重を支えることとなりカバー材４を安定させることができる。
なお、本実施例では、連結部材を躯体間隙奥行き方向にのみ可動に構成してあるが、更に躯体間隙長手方向に回動可能とすることも、あらゆる方向に可動可能に構成することもできどのような振動に対しても対応可能なものとすることができる。
【００２６】
支持部材７は、図４に示すように、断面略三角形状に形成してなる躯体間隙長手方向に伸びた連続体であって、カバー材４の裏面４ｃに沿った上面７ａと、上面７ａの一側端部から垂折してなる垂折面７ｂと、躯体２Ａに向かって上り傾斜してなる傾斜面部１９と、当該傾斜面部１９の上端部すなわち傾斜面部の始点部（図では上端部）１９Ａの外側に上面７ａを延設してなる載置片７ｃとを備えている。支持部材７の高さすなわち垂折面７ｂの長さは、収納部５の深さとよりも若干大きく設定し、支持部材７が収納部５の凹底面５ａ上に載り上がるとカバー材４が躯体２Ａの上面２Ａａ上に載り上がるようにしてある。
【００２７】
この支持部材７は、その支点部７ｄすなわち傾斜面部１９の終点部（図では下端部）１９Ｂの躯体間隙幅方向位置が、カバー材４の重心点Ｇ位置か、或いは当該重心点Ｇよりも連結部材６側すなわち基端側寄りの位置になるに取り付けてある。また、載置片７ｃを収納部５の凹底面５ａ上に載せて躯体間隙３が狭まった際に躯体２Ａの縁部２Ａｃと傾斜面部１９とが互いに円滑に当接するようにしてある。
【００２８】
上記構成において、カバー材４を取り付けるに当たっては、図１に示すように、カバー材４の裏面４ｃの先端部から収納部５の奥端面５ｃの天端部までの躯体間隙幅方向（図１の水平方向）の距離Ｌ１が、収納部５の間隙側端縁部２Ａｃから支持部材７の傾斜面部１９の始点部（図の上端部）までの躯体間隙幅方向の距離Ｌ２よりも長くなるように設定するのが好ましい。このようにカバー材４を取り付けることにより、カバー材４の傾斜面４ｂと収納部５の奥端面５ｃとが当接する前に支持部材７の傾斜面部１９と収納部５の縁部２Ａｃとを当接させることができるから、傾斜面４ｂと奥端面５ｃとの当接によってカバー材４の先端部がせり上がって突出するのを防ぐことができる。
【００２９】
更にその場合、支持部材７における傾斜面部１９のカバー材上面４ａに対する角度（言い換えれば、躯体間隙幅方向（図の水平方向）に対する角度）θ２を、収納部５の奥端面５ｃのカバー材上面４ａに対する角度θ１よりも大きくなるように設定すれば、支持部材７の傾斜面部１９が躯体２Ａａの縁部２Ａｃ（収納部５の間隙側縁部でもある。）に当接して該傾斜面部１９に沿ってカバー材４が持ち上がる過程においてもカバー材４の先端部の傾斜面４ｂと収納部５の奥端面５ｃとが当接しないから、傾斜面４ｂと奥端面５ｃとの接触によって当接カバー材４の先端部がせり上がって突出するのをより一層確実に阻止することができる。
また、支持部材７における傾斜面部１９のカバー材上面４ａに対する角度θ２を４５°以下、中でも特に３０°〜４５°の範囲に設定すれば、支持部材７が傾斜面部１９に沿って徐々に押し上がり、カバー材４が急激に変動することがないから、各部材の損傷が減ることは勿論であるが、急激な変動によってカバー材４が傾くのを防ぐことができる。
【００３０】
次に、エキスパンションジョイント１の動作について説明する。
【００３１】
図５（ａ）は、通常時のエキスパンションジョイント１を示している。
この際、支持部材７は間隙３内に位置し、カバー材４の上面４ａが躯体２Ａの上面２Ａａ及び躯体２Ｂの上面２Ｂａと略面一となり、躯体２Ａ、２Ｂの上面２Ａａ、２Ｂａ及びカバー材４の上面４ａを人等が歩行することができる。空隙１２は被覆面部１１で被覆されているため、空隙１２が表面上に露出することはなく、安全に歩行することができる。
【００３２】
また、躯体間隙幅方向の小さな揺れが起こった場合、支持部材７の傾斜面部１９が躯体２Ａの縁部２Ａｃに当接しない範囲であれば、支持部材７が傾斜面部１９に沿って載り上がることはなく、カバー材４は躯体間隙奥行き方向に移動することはない。したがって、躯体間隙幅方向の小さな揺れであれば、カバー材４は躯体間隙奥行き方向（本例であれば上下方向）に動作することがないから、周囲の安全を確保することができる。
【００３３】
図５（ｂ）は、地震等により躯体２Ａ、２Ｂの間隙３が躯体間隙幅方向に狭くなった場合のエキスパンションジョイント１の動作を示している。
躯体２Ａ、２Ｂの間隙３が躯体間隙幅方向に狭くなると、支持部材７の傾斜面部１９と躯体２Ａの縁部２Ａｃとが接触し、支持部材７は傾斜面部１９にガイドされて収納部５の凹底面５ａ上に載り上り、同時にカバー材４も躯体２Ａの上面２Ａａ上に載り上がって躯体変動を吸収する。この際、カバー材４は、支持部材７により重心点Ｇ付近から押し上げられ、しかもその際の支点７ｄは重心点Ｇよりも基端部側に位置しているから、カバー材４の先端側に荷重がかかって先端側がせり上がることがないから水平を維持しつつ押し上げられる。
またこの際、支持部材７にてカバー材４の全重量を支えることになるが、従来のローラーで支持する場合に比較すれば、より大きな重量のものを安全に支持することができると言える。
【００３４】
図５（ｃ）は、地震等により躯体２Ａ、２Ｂの間隙３が躯体間隙幅方向に広がった場合のエキスパンションジョイント１の動作を示している。この場合、カバー材４は、連結部材６を介して躯体Ｂに連結してあるため、躯体２Ｂ方向に引っ張られ収納部５の凹底面５ａ上を摺動（スライド）して躯体変動を吸収する。
【００３５】
なお、上記構成のエキスパンションジョイント１における支持部材７は、図６（ａ）に示すように、間隙長手方向に伸びた連続体を長さ方向に分割して支持部材７Ａとし、これらを適宜間隔をおいてカバー材４の裏面に取り付けるように構成することも可能である。支持部材７を複数個に分けて設けることにより、軽量化を計ることができる。
支持部材７は、図６（ｂ）に示すように、傾斜面部１９の終点部１９Ｂに連ねて平らな摺動底面７ｅを形成するように構成することもできる。摺動底面７ｅを形成することにより、より安定してカバー材4を水平に支持することができるばかりか、カバー材４の重量が大きくなっても押しつぶされることがない耐久製を付加することができる。
また、支持部材７はアルミ押出形材が望ましいが、金属板材を折曲形成するものでもよい。そして、中実材から形成すれば耐久製を更に高めることもできる。
【００３６】
以上は、隣接する躯体の床面間を連結する床面としてのエキスパンションジョイントについて述べたが、躯体の壁面間を連結する壁面としてエキスパンションジョイントを設置することも可能であり、その場合も上記同様に動作する。
【００３７】
次に、本発明の第二実施例に係るエキスパンションジョイントについて説明する。
なお、図７は、第二実施例に係るエキスパンションジョイントの一例を示す躯体間幅方向の断面図であり、図８（ａ）〜（ｅ）は、間隙が狭くなった場合のそのエキスパンションジョイントの動作状態を示した断面図である。
【００３８】
エキスパンションジョイント３１は、躯体３２Ａ、３２Ｂの上面（床面）３２Ａａ、３２Ｂａ間を連結し、躯体３２Ａ、３２Ｂ間の間隙３３を被覆するエキスパンションジョイントであって、図７に示すように、両躯体３２Ａ、３２Ｂの間隙３３を被覆するカバー材３４と、躯体３２Ａの上面３２Ａａの間隙３３側を凹設し、カバー材３４の躯体３２Ａ側の収納部側端部（以下「先端部」という）を載置する収納部３５と、カバー材３４の躯体３２Ｂ側の端部（以下「基端部」という）をカバー材３４の動きとともに躯体間隙奥行き方向（図７では上下方向）に可動可能に躯体３２Ｂに連結する連結部材３６と、カバー材３４の裏面に設けた支持部材３７とを主な構成として備えている。
【００３９】
収納部３５は、躯体３２Ａの上面３２Ａａ間隙３３側の縁に沿って凹設し、その凹底面３５ａに板材３８を敷設してあり、カバー材３４の先端部を凹底面３５ａ上に載せて摺動可能に収納することができる。収納部３５の深さは、カバー材３４の厚さと同等の深さとし、カバー材３４の上面３４ａが躯体３２Ａの上面３２Ａａ及び躯体３２Ｂの上面３２Ｂａと略面一となるようにしてある。また、収納部３５の奥端面３５ｂ（収納部３５内において間隙３３とは反対側端部において起立する面）は、凹底面３５ａから躯体３２Ａの上面３２Ａａに対し垂直に形成し、その上端部は、カバー材３４が載り上げ易いよう傾斜させてある。
なお、収納部３５の躯体間隙長手方向（図７では紙面表裏方向）の長さは、カバー材３４の躯体間隙長手方向の長さに合わせるか、或は、躯体間隙長手方向にカバー材３４がスライド可能となるように、当該カバー材３４の長さよりも長く形成し、収納部３５の躯体間隙幅方向（図７では左右方向）の長さは、カバー材３４の１／３〜２／３とするのが好ましい。
【００４０】
この板材３８は、凹底面被覆部３８ａを躯体間隙３３まで延設し、その先端部を躯体３２Ｂに向けて下方傾斜させてガイド片３８ｂとし、基端部は起立させて奥端面３５ｂを覆うよう形成してある。躯体３２Ｂ側に躯体３２Ａの奥行き側面３２Ａｂより突出しており、躯体３２Ｂに向けて下方傾斜させたガイド片３８ｂを有する。
【００４１】
カバー材３４は、図７に示すように、内部を凹状に形成した略長方形箱型のカバー材本体３９の内部にコンクリートやモルタル等の充填材４０を注入し、表面は、タイルや石材等の表面材４１を貼り付けて上面３４ａとし、カバー材本体３９の先端部を収納部３５の奥端面３５ｂに合わせた先端部面３４ｂとしてある。
カバー材３４は、その基端部を連結部材３６を介して躯体間隙奥行き方向に可動可能に躯体３２Ｂに連結し、その先端部を収納部３５の凹底面３５ａ上に摺動可能に載置すると共に、収納部３５の奥端面３５ｂとカバー材３４の先端部面３４ｂは、当接するように取り付けてある。
【００４２】
連結部材３６は、支持凹部４２、支持凸部４３、保持材４４及び連結棒４５を備えている。
支持凹部４２は、躯体３２Ｂの上面３２Ｂａを縁に沿って凹設し、カバー材３４の基端部が収納できるようなっている。また、支持凹部４２の躯体間隙長手方向（図７では紙面表裏方向）の長さは、カバー材３４の躯体間隙長手方向の長さに合わせるか、或は、躯体間隙長手方向にカバー材３４がスライド可能となるように、当該カバー材３４の長さよりも長く形成してある。
【００４３】
支持凸部４３は、中空断面略角形状を呈し、カバー材３４の裏面３４ｃの基端部側部位にあって奥行き下方に向けて凸設してあり、躯体間隙長手方向（図７では表裏方向）にはカバー材３４の長さと略同等の長さとしてある。支持凸部４３は、通常時は、支持凹部４２の底面４２ａに載置しており、カバー材３４を支持している。
【００４４】
保持材４４は、収納凹部４２の底面４２ａ及び側面４２ｂを覆うように敷設され、支持凹部４２の縁から躯体３２Ｂの間隙側面３２Ｂｂに沿い奥行き上方へ折り曲がり、更に、カバー材３４の裏面３４ｃに沿うよう折り曲がっている。そして、躯体３２Ａに向かい突出した支持面４４ａには、間隙長手方向に所定の間隔で穿設された連結穴４４ｂを形成している。
連結穴４４ｂは、カバー材３４の基端部側の裏面３４ｃに間隙長手方向に配列し、連結穴４３ｂに挿通するよう設けられた棒状の連結棒４５が挿通している。この保持材４４により、通常時はカバー材３４を支持し、また、作動時には連結棒４５と連結されているため、カバー材３４の脱落を防ぎ、躯体間隙奥行き方向にカバー材３４が動くよう規制している。
【００４５】
支持部材３７は、金属製板材を折曲形成してなる躯体間隙長手方向に伸びた連続体であって、カバー材３４の裏面３４ｃに沿った上面３７ａと、上面３７ａの一側端部から垂直に折れてなる垂下面３７ｂと、躯体３２Ａに向かって平らな面の底面３７ｃと、底面３７ｃから上り傾斜してなる傾斜面部４６とを備えている。支持部材３７の高さすなわち垂下面３７ｂの長さは、収納部３５の深さよりも大きく設定し、支持部材３７が収納部３５の凹底面３５ａ上に載り上がればカバー材３４が躯体３２Ａの上面３２Ａａ上に載り上がるようにしてある。
そして、この支持部材３７は、その支点部３７ｄすなわち傾斜面部４６の終点部（図では下端部）の躯体間隙幅方向が、カバー材３４の重心点位置及び当該重心点よりも連結部材３６側すなわち基端側より位置を支持するように取り付けてある。
【００４６】
図８（ａ）〜（ｅ）に両躯体３２Ａ、３２Ｂの間隙３３が躯体間隙幅方向に狭くなった場合のエキスパンションジョイント３１の動きを示す。
【００４７】
まず、図８（ａ）、（ｂ）に示すように、エキスパンションジョイント３１は、カバー材３４の先端部面３４ｂが収納部３５の奥端面３５ｂと通常時でも接しているため、間隙３３が変動により縮まった場合、先端部面３４ｂが収納部３５の奥端面３５ｂに載り上がっていき、カバー材３４はせり上がっていく。
【００４８】
このとき、カバー材３４は傾き、先端部面３４ｂは、躯体上面３２Ａａよりも突出することとなるが、図８（ｃ）に示すように、支持部材３７が、すぐに収納部３５の凹底面３５ａ上に載り上げることとなるため、水平状態に回復させることができる。また、収納部３５に敷設してある板材３８より躯体３２Ｂに向け下方傾斜させたガイド片３８ｂを設けてあるため、収納部３５の凹底面３５ａ上に載り上げやすくなっている。下方傾斜させる角度と支持部材３７の傾斜面部４６との角度を合わせることにより、スムーズに載り上げることができる。
そして、さらに躯体間隙３３が狭くなった場合は、図８（ｄ）、（ｅ）に示すように、支持部材３７の底面３７ｃが収納部３５の凹底面３５ａ上を摺動（スライド）しながら動いていく。このとき、支持部材３７にエキスパンションジョイント３１の重量がかかることとなるが、底面３７ｃの面積を広くしてあり、荷重が分散されるので、大きなカバー材３４の重量にも耐え得ることができる。
【００４９】
また、両躯体３２Ａ、３２Ｂ間の間隙３３が躯体間隙幅方向に広がった場合は、連結部材３６により、カバー材３４と躯体３２Ｂが、連結されているため、カバー材３４は、躯体３２Ｂとともに引かれて行き、カバー材の裏面３４ｃの先端部側は、収納部３５の凹底面３５ａ上を摺動しながら引かれていく。このとき、連結棒４５は、保持材４４の支持面４４ａの連結穴４４ｂに挿通されているため脱落することはない。
【００５０】
設置場所のスペースが限られ、空隙を作れないときには上記のように、支持部材３７を設け、カバー材３４の収納部端部が突出してもすぐに水平を保つエキスパンションジョイント３１にし、できるだけカバー材の収納部側端部がせり上がることを抑え、安全性の向上を図ることができる。また、支持部材３７の底面３７ａの面積を広く採っておけば、エキスパンションジョイント３１の重量が大きくなっても安定して保持できるものとなる。
【００５１】
本発明は、上記実施形態に限定されるものではなく、床面の間隙の他、壁面間等の建築物の間隙にも設置することができ、また、躯体との連結部材を上下方向だけでなく、長手方向に可動としたり、回動可能としたりしてもよく、カバー材の動きに応じたものとすることにより、設置場所を選ばず使用することができる。
【図面の簡単な説明】
【図１】  本発明の第一実施例の躯体間隙幅方向の断面図である。
【図２】  本発明の第一実施例のカバー材本体を躯体間隙幅方向で切断した斜視図である。
【図３】  （ａ）は、本発明の第一実施例の高さ調整ボルト付近の拡大断面（ｂ）は、本発明の第一実施例のストッパー付近の拡大断面図、図である。
【図４】  本発明の支持部材の一実施例の概略斜視図である。
【図５】  （ａ）及び（ｂ）は、間隙が狭くなった場合、（ｃ）は、間隙が広くなった場合の本発明の第一実施例の動作状態を示した概略断面図である。
【図６】  （ａ）及び（ｂ）は、本発明の支持部材の一実施例の概略断面図である。
【図７】  本発明の第二実施例の躯体間幅方向の断面図である。
【図８】  （ａ）〜（ｅ）は、間隙が狭くなった場合の本発明の第二実施例の動作状態を示した断面図である。
【図９】  （ａ）は、従来の実施例の概略断面図、（ｂ）は、従来の実施例の概略平面図である。
【図１０】  従来の実施例の目地部が狭くなった場合の動作説明図である。
【符号の説明】
１  エキスパンションジョイント
２Ａ、２Ｂ  躯体
２Ａａ、２Ｂａ  上面
２Ａｂ、２Ｂｂ  間隙側面
２Ａｃ  縁部
３  間隙
４  カバー材
４ａ  上面
４ｂ  傾斜面
４ｃ  裏面
５  収納部
５ａ  凹底面
５ｂ  板材
５ｃ  奥端面
６  連結部材
７  支持部材
７ａ  上面
７ｂ  垂下面
７ｃ  載置片
７ｄ  支点
７ｅ  底面
８  カバー材本体
９  充填材
１０  表面材
１１  被覆面部
１２  空隙
１３  ブラケット
１３ａ  設置面
１３ｂ  連結面
１３ｃ  穴
１４  フレーム材
１４ａ  端部
１４ｂ  底面
１４ｃ  支持面
１４ｄ  穴
１５  ストッパー
１５ａ  頭部
１６  補強板
１６ａ  ネジ穴
１７  高さ調整ボルト
１８ａ、ｂ  ナット
１９  傾斜面部
３１  エキスパンションジョイント
３２Ａ、３２Ｂ  躯体
３２Ａａ、３２Ｂａ  上面
３２Ａｂ、３２Ｂｂ  間隙側面
３３  間隙
３４  カバー材
３４ａ  上面
３４ｂ  先端部面
３４ｃ  底面
３５  収納部
３５ａ  凹底面
３５ｂ  奥端面
３６  連結部材
３７  支持部材
３７ａ  上面
３７ｂ  垂下面
３７ｃ  底面
３７ｄ  支点部
３８  板材
３８ａ  凹底面被覆部
３８ｂ  ガイド片
３９  カバー材本体
４０  充填材
４１  表面材
４２  支持凹部
４２ａ  底面
４２ｂ  側面
４３  支持凸部
４４  保持材
４４ａ  支持面
４４ｂ  連結穴
４５  連結棒
４６  傾斜面部
５０  エキスパンションジョイント
５１  目地部
５２Ａ、５２Ｂ  建物
５３  支持凹部
５４  目地プレート支持金具
５５  凹部
５６  ガイド面
５７  固定金具
５８  目地プレート
５９  保護体
６０  ローラー
【図１】
0003682014.tif 000002
【図２】
0003682014.tif 000003
【図３】
0003682014.tif 000004
【図４】
0003682014.tif 000005
【図５】
0003682014.tif 000006
【図６】
0003682014.tif 000007
【図７】
0003682014.tif 000008
【図８】
0003682014.tif 000009
【図９】
0003682014.tif 000010
【図１０】
0003682014.tif 000011